(57)【要約】【課題】  本発明に係る戸当り金具は、戸枠の面内方向に対して、略垂直方向に出来る隙間からの水の浸入を防止することを目的とする。【解決手段】  前記戸当り金具３は、本体ケース３０と、この本体ケース３０に固定される戸当り固定ピース３１と、この戸当り固定ピース３１に組み込まれる固定止水材３２と、前記戸当り固定ピース３１に変位自在に組込まれる戸当り調整材３３と、この戸当り調整材３３に取付けられる戸当り止水材３４と、戸当り調整材３３の変位範囲を調整するネジ３５と、前記右竪枠２３との水密性を確保させる竪枠側止水材３６と、止水片２１０(図１参照)と共に下枠２１との水密性を確保させる下枠側止水材３７とからなる。【選択図】        図２
2005240424.tif 000002
【特許請求の範囲】
【請求項１】
戸枠に取付けられる戸の戸先框に対向し、且つ、戸枠の竪枠の下部に配置される戸当り金具であって、
戸当り金具は、戸を閉じた時に戸先框と竪枠間に形成される隙間を塞ぐ方向に、変位可能な止水材を備えたことを特徴とする戸当り金具。
【請求項２】
戸枠に回動自在に取付けられる戸の戸先框に対向し、且つ、戸枠の竪枠の下部に配置される戸当り金具であって、
戸当り金具は、戸を閉じた時に戸先框と竪枠間に形成される隙間を塞ぐ方向に、変位可能な止水材を備えたことを特徴とする戸当り金具。
【請求項３】
前記止水材は、竪枠に沿って形成される回転軸を中心に、回動自在に配置されていることを特徴とする請求項１又は２に記載の戸当り金具。
【請求項４】
前記止水材は、竪枠に沿って形成される回転軸を中心に、ネジの進退調整により位置決めされることを特徴とする請求項３に記載の戸当り金具。
【発明の詳細な説明】
【技術分野】
【０００１】
本発明は、水密性等を必要とする空間とそれ以外の空間、例えば浴室と脱衣室間の戸の戸枠に配置される戸当り金具に関する。
【背景技術】
【０００２】
戸枠や戸の対角が不良であること等に起因して、戸枠に戸を取付けた場合に戸枠の下枠と戸の下框間に許容範囲を超えた隙間が出来てしまう場合がある。
このような場合、バリアフリーの見地から、浴室の床面と脱衣室の床面とが同一又は略同一のレベルに構成されている構造では、脱衣室側に水が浸入する恐れがあった。
【０００３】
かかる不都合を解消するため、出願人は特願２００３−２８５５３９号(出願日平成１５年８月４日)で、戸の水密材の調整構造及び取付構造を開示している。この出願は、本発明出願時には公開されておらず、先行技術文献情報には該当しない。
【０００４】
一方、戸枠や戸のよじれ等に起因して、戸枠に戸を閉じた場合に、戸の戸先框と戸枠の竪枠と間に許容範囲を超えた隙間が出来てしまう場合がある。
戸枠や戸の対角が不良であること等に起因する上記隙間は、戸枠の面内方向に対して略同一面に形成されるものであるが、本願で問題とする隙間は、戸枠の面内方向に対して略垂直方向に出来るもので、性質を異にする。このような隙間ができた場合には、戸の錠前ラッチが戸枠に嵌合した状態でも、水が浴室から脱衣室側に浸入する恐れがあった。
【発明の開示】
【発明が解決しようとする課題】
【０００５】
そこで、本発明に係る戸当り金具は、戸枠の面内方向に対して、略垂直方向に出来る隙間からの水の浸入を防止することを目的とする。
【課題を解決するための手段】
【０００６】
上記課題を解決するため、本発明は戸枠に取付けられる戸の戸先框に対向し、且つ、戸枠の竪枠の下部に配置される戸当り金具であって、戸当り金具は、戸を閉じた時に戸先框と竪枠間に形成される隙間を塞ぐ方向に、変位可能な止水材を備えたことを特徴とする戸当り金具とした(請求項１に記載の発明)。
ここに戸とは、開き戸、引戸、折戸等が含まれる。
【０００７】
上記課題を解決するため、本発明は、戸枠に回動自在に取付けられる戸の戸先框に対向し、且つ、戸枠の竪枠の下部に配置される戸当り金具であって、戸当り金具は、戸を閉じた時に戸先框と竪枠間に形成される隙間を塞ぐ方向に、変位可能な止水材を備えたことを特徴とする戸当り金具とした(請求項２に記載の発明)。
ここで戸とは、開き戸、折戸等が含まれる。
【０００８】
上記発明において、前記止水材は、竪枠に沿って形成される回転軸を中心に、回動自在に配置されていることを特徴とする(請求項３に記載の発明)。
【０００９】
上記発明において、前記止水材は、竪枠に沿って形成される回転軸を中心に、ネジの進退調整により位置決めされることを特徴とする(請求項４に記載の発明)。
【発明の効果】
【００１０】
本発明によれば、戸を閉じた時に戸先框と竪枠間に形成される隙間を塞ぐ方向に、変位可能な止水材によって、戸枠や戸のよじれ等に起因する戸の戸先框と戸枠の竪枠と間の隙間を埋めることができる。
【発明を実施するための最良の形態】
【００１１】
本発明を実施するための実施形態を図面に基いて説明する。
図１は実施形態に係る戸当り金具を備えた戸枠及び片開き戸の正面図並びに戸当り金具を取付けた戸枠の要部斜視図、図２同戸当り金具の分解斜視図、図３は同戸当り金具の図１のＡ‐Ａ線矢視断面図、図４は同金具の背面側斜視図である。
これらの各図及び後述の各図において、同一の構成は同一の符号を付して、重複した説明を省略する。
【００１２】
図１に示したように、実施形態に係る戸当り金具３は、水密性等を必要とする浴室と、これに隣接する脱衣所間に配置される戸枠２の下部に、且つ、戸枠２に取付けられた戸１の戸先框１３に対向するように配置されている。
そして、戸当り金具３のネジ３５を進めることにより、戸当り止水材３４が浴室側に押出されるように変位し、戸１を閉じたときに戸先框１３と竪枠２３間に形成される隙間Ｇ(図７参照)を埋めて、浴室からの漏水を防ぐことができるようになっている。
【００１３】
前記片開き戸１は、上框１０、下框１１、吊元框１２及び戸先框１３を備え、また前記戸枠２は、上枠２０、下枠２１、前記吊元框１２を回転可能に支持する左竪枠２２及び前記戸先框１３の錠前ラッチ１３０が嵌合される右竪枠２３を備えている。
【００１４】
前記下枠２１は、浴室と脱衣室の床面の段差を無くするために、フラット状に形成されている。
前記右竪枠２３には、戸１を閉じた場合に前記戸先框１３に対向する竪枠戸当り２３０が設けられており、前記戸当り金具３は前記竪枠戸当り２３０の下部に取付けられている。
【００１５】
前記戸当り金具３は、図２に示したように、本体ケース３０と、この本体ケース３０に固定される戸当り固定ピース３１と、この戸当り固定ピース３１に組み込まれる固定止水材３２と、前記戸当り固定ピース３１に変位自在に組込まれる戸当り調整材３３と、この戸当り調整材３３に取付けられる止水材としての戸当り止水材３４と、戸当り調整材３３の変位量を調整するネジ３５と、前記右竪枠２３との水密性を確保する竪枠側止水材３６と、止水片２１０(図１参照)と共に下枠２１との水密性を確保する下枠側止水材３７とからなる。
【００１６】
前記本体ケース３０は、前記戸当り調整材３３等を収容するもので、その正面３０Ａに前記ネジ３５用の孔３００が２箇所に設けられている。図３に示したように、各孔３００、３００には、ネジ３５を進退させる雌ネジ部３０１が設けられ、この雌ネジ部３０１の一端３０２が本体ケース３０の内側に連通するように形成されている。
【００１７】
前記本体ケース３０の一側面３０Ｂには、戸当り調整材３３の突起片３３０、３３０を案内する案内孔３０３、３０３が形成されている。なお、前記側面３０Ｂの下部に設けられている孔３０４は本体ケース３０を前記竪框２３に固定するためのネジ用の孔である。
【００１８】
前記本体ケース３０の背面３０Ｃには、図４に図示したように、前記竪框２３の竪枠戸当り２３０の切欠端部２３１(図５参照)を嵌込む凹部３０５と、竪枠戸当り２３０の切欠端部２３１に形成された取付孔２３２に係止させる係止片３０６が設けられている。
【００１９】
前記戸当り固定ピース３１は、前記本体ケース３０の他側面３０Ｄを形成するもので、前記固定止水材３２を取付けるための縦方向の溝３１０と前記戸当り調整材３３の回転軸３３１を軸支持する軸受け部３１１が形成されている。
前記軸受け部３１１は、図３に示したようにその断面形状がケース３０の一側面３０Ｂに向って開口するように略Ｕ字状に形成され、そして前記溝３１０に略平行に縦方向に延びている。
【００２０】
前記戸当り調整材３３は、その一端３３Ａに前記回転軸３３１と、浴室に対向する面３３Ｂに前記戸当り止水材３４を取付ける取付け溝部３３２と、脱衣室に対向する面３３Ｃに前記突起片３３０、３３０が形成された枠部３３３と、その上下に雌ネジ部３０１の一端３０２に臨む当接部３３４を備えている。
【００２１】
前記回転軸３３１は、前記軸受け部３１１に嵌合されて回動できるように円柱状に形成され、且つ、竪枠２３に沿って形成され、例えば戸当り調整材３３が約１５度程度の範囲で変位可能に取付けられる。
前記当接部３３４は、図３に図示したようにネジ３５を進める前に、そのネジ３５の先端が当接する第１の当接面３３４Ａと、前記ネジ３５を進めた場合に、そのネジ３５の先端が当接する第２の当接面３３４Ｂが形成されている。よって、戸当り調整材３３を押込む方向に作用する外力に対して抵抗力を備えている。
【００２２】
戸当り止水材３４は、断面が略三角形状に形成され、且つ、中空の止水材本体３４０と、この止水材本体３４０を前記取付け溝部３３２に係合させるための凸片３４１とからなり、この凸片３４１が止水材本体３４０の一辺３４Ａに固定されている。
止水材本体３４０の他の一辺３４Ｂは前記戸１の戸先框１３に対向し、残りの一辺３４Ｃには折畳み自在に折り目が形成されている。
図３に示したように、止水材本体３４０の頂点３４Ｄと前記固定止水材３２は重なり合い、常時当接して、漏水を防ぐようにしている。
このような本体３４０は、弾性を備えた素材、例えばエチレンプロピレンゴム(ＥＰＤＭ)等のゴム材からなり、所定の範囲Ｗ１、例えば略８〜略４ｍｍの範囲で伸縮可能になっている。
よって、この止水材本体３４０を前記戸先框１３側に圧接させることができ、水密性を向上させることができる。
【００２３】
このように構成された戸当り金具３は、図５(Ａ)及び(Ｂ)に示したように、前記ケース３０の凹部３０５を前記竪枠戸当りの端部２３１に嵌込むと共に、その係止片３０６を竪枠戸当り２３０の取付孔２３２に係止させ、前記竪枠側止水材３６と前記下枠側止水材３７をセットする。そして、ネジを前記孔３０４から竪框２３に止着した後、カバー４(図１参照)を取付ける。
【００２４】
次に戸当り金具３の使用方法を説明する
前記戸先框１３の錠前ラッチ１３０が右竪枠２３に嵌合された状態で、戸枠２や戸１のよじれがない(正常な建付け状態の)場合には、図６に示したように、戸先框１３の止水部１３１と竪枠戸当り２３０の止水部２３３とにより、浴室からの漏水が防止される。
また、前記戸当り金具３の戸当り止水材３４は、そのケース３０内に収納された状態であっても、戸先框１３の脱衣室側に位置する水密材付き壁材１３２に当接しており、仮に止水部２３３を超えて漏水が起こったとしもて、その漏水は戸当り止水材３４により防止することができる。
【００２５】
戸枠２や戸１のよじれ等により、図７のように戸枠２の竪枠２３と戸１の戸先框１３間に隙間Ｇが出来てしまう場合がある。この場合には図８のように、前記ネジ３５、３５を進めつつ調整して前記隙間Ｇを埋めるように、戸当り止水材３４を浴室側に回動させる。
その結果、図９に示したように、戸当り止水材３４がケース３０内に収納された状態から、略所定の範囲Ｗ２、例えば略４ｍｍの範囲で回動する。
よって戸当り止水材３４の一辺３４Ｃが、戸先框１３の脱衣室側に位置する水密材付き壁材１３２に当接或いは圧接して、前記隙間Ｇからの漏水を防ぐことができる。
【００２６】
上記戸当り金具３によれば、
ａ．  枠２や戸１のよじれ等に起因して戸先框１３と竪枠２３間の隙間Ｇが形成されても、止水材３４の一辺３４Ｃが戸先框１３側に当接或いは圧接して浴室からの漏水を防ぐことができる。
ｂ．  戸当り金具３の戸当り止水材３４の変位量は、脱衣室側からネジ３５の進行量に応じて、簡単に調整できる。
ｃ．  戸先框１３に水密材付き壁材１３２を設けて、戸枠２の下枠２１と戸１の下框１１間の隙間からの漏水を防ぐための水密構造を設けても、この水密構造の作用を妨げずに調和した戸当り金具３となっている。
【００２７】
上記戸当り金具３では、前記戸当り固定ピース３１に対し、戸当り調整材３３が回動し、この戸当り調整材３３に取付けられる戸当り止水材３４が変位する機構となっていたが、このような変位機構に代えて、戸当り調整材３３を前進させ、或いは後退させる機構でもよい。
また、戸当り調整材３３を省略して、直接、戸当り止水材３４に当接部３３４を設けて変位させるようにしてもよい。
なお、戸先框１３に水密材付き壁材１３２を設けない場合には、前記戸当り金具３を浴室寄りに取付ければよい。
【００２８】
上記戸１は片開き戸であったが、引戸を取付けた戸枠２に前記戸当り金具３を取付けても、上記と同様な作用効果を奏する。
【００２９】
その他、防音、断熱等の気密性を必要とする空間と、それ以外の空間の間に配置される戸枠に前記戸当り金具３を取付けてもよい。
【図面の簡単な説明】
【００３０】
【図１】実施例１にかかる戸及び戸枠の正面図及び戸枠の竪枠に戸当り金具を取付けた状態の斜視図、
【図２】同戸当り金具の分解斜視図、
【図３】同戸当り金具のＡ−Ａ線断面図、
【図４】同戸当り金具の背面側斜視図、
【図５】（Ａ）  同戸当り金具を取付けた状態の要部断面図、（Ｂ）  同要部正面図、
【図６】同戸当り金具の操作説明図、
【図７】同戸当り金具の操作説明図、
【図８】同戸当り金具の動作説明図、
【図９】同戸当り金具の動作説明図。
【符号の説明】
【００３１】
１  戸                              １０  上框
１１  下框                          １２  吊元框
１３  戸先框                        １３０  錠前ラッチ
２  戸枠                            ２０  上枠
２１  下枠                          ２２  左竪枠
２３  右竪枠                        ２３０  竪枠戸当り
２３１  端部                        ２３２  取付孔
３  戸当り金具                      ３０  本体ケース
３０Ａ  正面                        ３０Ｂ  一側面
３０Ｃ  背面                        ３０Ｄ  他側面
３００  孔                          ３０１  雌ネジ部
３０２  雌ネジ部の一端              ３３０  突起片
３０３  案内孔                      ３０４  孔
３０５  凹部
３０６  係止片
３１  戸当り固定ピース
３１０  溝                          ３１１  軸受け部
３２  固定止水材
３３  戸当り調整材
３３Ａ  戸当り調整材一端            ３３Ｂ  浴室に対向した面
３３１  回転軸                      ３３２  取付け溝部
３３４  第１の当接面                ３３５  第２の当接面
３４  戸当り止水材                  ３４０  止水材本体
３４１  凸片                        ３４Ａ  止水材本体の一辺
３４Ｂ  止水材本体の他の一辺        ３４Ｃ  一辺
３４Ｄ  頂点
３５  ネジ                          ３６  竪枠側止水材
３７  下枠側止水材
【図１】
2005240424.tif 000003
【図２】
2005240424.tif 000004
【図３】
2005240424.tif 000005
【図４】
2005240424.tif 000006
【図５】
2005240424.tif 000007
【図６】
2005240424.tif 000008
【図７】
2005240424.tif 000009
【図８】
2005240424.tif 000010
【図９】
2005240424.tif 000011